(57)【要約】【課題】スプリットリングを通し易くすることができ、しかも、適正な強度を備えた釣り針の提供を図る。【解決手段】軸部２と、この軸部２の先端に設けられた針先部３と、この軸部の基端に設けられた挿通部４とを備える。軸部２と針先部３は、同一の線材を加工して形成されたものである。挿通部４は、軸部２の線材とは別個の金属線であって、この軸部２の線材よりも細い細金属線によって形成されたものである。この細金属線は、スプリットリングを通して係止できる係止部５と、この係止部５の先端側に設けられた固定部６とを備え、この固定部６が上記の軸部２の基端に固定されたものである。【選択図】図１
0003142982.tif 000002
【実用新案登録請求の範囲】
【請求項１】
軸部と、この軸部の先端に設けられた針先部と、この軸部の基端に設けられた挿通部とを備え、この挿通部にスプリットリングを通して係止するようにしたスプリットリング対応釣り針において、
上記の軸部及び針先部は、同一の線材を加工して形成されたものであり、
上記の挿通部は、上記の軸部の線材とは別個の金属線であって、この軸部の線材よりも細い細金属線によって形成されたものであり、
この細金属線は、スプリットリングに通して係止できる係止部と、この係止部の先端側に設けられた固定部とを備え、この固定部が上記の軸部の基端に固定されたものであることを特徴とするスプリットリング対応釣り針。
【請求項２】
前記の細金属線は、両端を基端側に配位して略中央で折り返すことによって、当該折り返し部分が前記の係止部とされ、上記の両端が固定部とされたものであり、
この固定部は、軸部の基端側に溶接又はロー付けによって固定されたものであることを特徴とする請求項１記載のスプリットリング対応釣り針。
【請求項３】
前記の細金属線がステンレス鋼製であり、その係止部における直径が、０．１〜１．０mmであることを特徴とする請求項２記載のスプリットリング対応釣り針。
【請求項４】
前記溶接又はロー付部分を少なくとも含むの固定部が、合成樹脂により被覆されたものであることを特徴とする請求項３記載のスプリットリング対応釣り針。
【考案の詳細な説明】
【技術分野】
【０００１】
本願考案は、釣り針、特に、スプリットリングによって接続するのに最適な釣り針に関するものである。
【背景技術】
【０００２】
従来より、主としてルアーフィッシングの分野においては、図４に示すように、疑似餌（ルアーａ）と針１とを接続するために、スプリットリングｓ（図４（Ｂ）参照）が用いられている。このスプリットリングｓは、ステンレス鋼線を円形に複数周巻回したもので、その端部は、常時は鋼線の弾性によって、隣合う周回の鋼線に接触した状態で閉じている（図（Ｂ）参照）。ルアーａへの取付や針１への取付に際しては、ルアーａ又は針１に設けられた環状部に対して、スプリットリングｓの端部をその弾性に抗して開き（図４（Ｃ）参照、この開いた隙間に環状部を通すものである。
【０００３】
このスプリットリングｓの弾性は、あまりに緩いと簡単に開くて作業が簡単になる反面、開いた針１が抜け落ちるおそれが大きくなり、反対にあまりにきついと針などの取付作業が難しくなる。そのため、スプリットリングｓを大きく開くことなく針の環状部を挿入できるように、取付用環状部の一部に線材の肉部を一部切断除去して本体軸部より肉厚の薄い薄肉部を具備させたことを特徴とする釣針が提案されている（特許文献１）。
ところが、この特許文献１の釣り針は、軸部の基端を環状に曲げて取付部を加工するという伝統的な釣り針の製法を一部改良したものに過ぎず、軸部と取付環状部とが同一の素材で形成されたものである。従って、環状部の素材の厚みを小さくするにも限度があり、環状のスプリットリングｓに対して当該環状の径方向の厚みを限縮するにも飛躍的に大きな限縮を期待することはできない。しかも、特許文献１の釣り針は、上記の薄肉部を形成するのに、肉部を一部切断除去して薄肉部を形成するものであり、幅（長手方向と直交する方向における長さ）も軸部と同程度とならざるを得ない。特に、釣り針は、針の大きさと太さ（線材の径）とは、対象魚の大きさによって決定されるものであり、一般に、大きな針は大きく力も強い対象魚に対して用いられるものであり、これに使用される線材も太くなる。これに対して、一部分に薄肉部を形成すると、その部分の強度が低下してしまうことになってしまう。
【０００４】
【特許文献１】特開平１１ー１４６７４５号公報
【考案の開示】
【考案が解決しようとする課題】
【０００５】
本願考案は、スプリットリングを通し易くすることができ、しかも、適正な強度を備えた釣り針の提供を目的とする。
【課題を解決するための手段】
【０００６】
そこで本願の請求項１の考案は、軸部と、この軸部の先端に設けられた針先部と、この軸部の基端に設けられた挿通部とを備え、この挿通部にスプリットリングを通して係止するようにしたスプリットリング対応釣り針において、上記の軸部及び針先部は、同一の線材を加工して形成されたものであり、上記の挿通部は、上記の軸部の線材とは別個の金属線であって、この軸部の線材よりも細い細金属線によって形成されたものであり、この細金属線は、スプリットリングを通して係止できる係止部と、この係止部の先端側に設けられた固定部とを備え、この固定部が上記の軸部の基端に固定されたものであることを特徴とするスプリットリング対応釣り針を提供する。
本願の請求項２に係る考案は、前記の細金属線は、両端を基端側に配位して略中央で折り返すことによって、当該折り返し部分が前記の係止部とされ、上記の両端が固定部とされたものであり、この固定部は、軸部の基端側に溶接又はロー付けによって固定されたものであることを特徴とする請求項１記載のスプリットリング対応釣り針を提供する。
本願の請求項３に係る考案は、前記の細金属線がステンレス鋼製であり、その係止部における直径が、０．１〜１．０mmであることを特徴とする請求項２記載のスプリットリング対応釣り針を提供する。
本願の請求項４に係る考案は、前記溶接又はロー付部分を少なくとも含むの固定部が、合成樹脂により被覆されたものであることを特徴とする請求項３記載のスプリットリング対応釣り針を提供する。
【考案の効果】
【０００７】
本願の考案に係る釣り針は、挿通部は、軸部の線材とは別個の金属線であって、軸部の線材よりも細い細金属線によって形成されたものであり、この細金属線は、スプリットリングを通して係止できる係止部と、この係止部の先端側に設けられた固定部とを備え、この固定部が上記の軸部の基端に固定されたことによって、釣り針の素材とは別個の素材で形成することができ、スプリットリングを通して係止するのに最適な太さ（細さ）であって、しかも、十分な強度を備えたスプリットリング対応釣り針を提供することができたものである。
前記の細金属線は、両端を基端側に配位して略中央で折り返すことによって、当該折り返し部分が前記の係止部とされ、上記の両端が固定部とされたものであり、この固定部は、軸部の基端側に溶接又はロー付けによって固定することによって、加工が容易であり、かつ固定が確実なスプリットリング対応釣り針を提供することができたものである。
前記の細金属線の太さは、対象魚にもよるが、ステンレス鋼製であり、その係止部における直径が、０．１mm以上とすることによって、十分な強度を得ることでき、かつ、１．０mm以下とすることによって、スプリットリングへの装着が大変容易に行うことができるスプリットリング対応釣り針を提供することができたものである。
前記溶接又はロー付部分を少なくとも含むの固定部が、合成樹脂により被覆されたものであることにより、溶接部分に錆が生じ難く、良好な外観を備えたスプリットリング対応釣り針を提供することができたものである。
【考案を実施するための最良の形態】
【０００８】
以下、図面に基づき本願考案の実施の形態を説明する。
図１は、本願考案の実施の形態に係る係る釣り針を示すもので、（Ａ）は正面図、（Ｂ）は側面図、（Ｃ）は挿通部の正面図である。
【０００９】
この実施の形態に係る釣り針１は、軸部２と、この軸部２の先端に設けられた針先部３とを備える。この軸部２及び針先部３は、釣り針の常法により、同一の線材を加工して形成されたものである。なお、針先部３は、図示の１本の他、２本、３本、４本などの複数本のものとして実施することができ、この場合には、１本の軸部と複数の針先部３とを溶接などによって接続して形成されるが、その場合にあっても、同一の線材を加工して形成されている。
【００１０】
この軸部２の基端には、挿通部４が取り付けられている。この挿通部４は、軸部２と別体に形成されたもので、上記の軸部２の線材とは別個の金属線であって、これよりも細い細金属線によって形成されたものである。この細金属線は、スプリットリングを通して係止できる係止部５と、この係止部５の先端側に設けられた固定部６とを備える。より詳しくは、挿通部４は、細金属線の両端を基端側に配位して、略中央で折り返すことによって略Ｕ字状に形成されている。この例では、折り返し部分が略円弧形状の係止部５とされており、両端が直線状の固定部６とされている。この固定部６は、軸部２の基端側の左右両側に溶接又はロー付けによって固定されたもので、その外側が合成樹脂７により被覆されている。
【００１１】
この挿通部４を構成する細金属線は、ステンレス鋼製であることが望ましいが、鉄や鋼材などの他の金属線であってもよい。また、その太さは対象魚にもよるが、ステンレス鋼製の場合には、係止部５における直径が、０．１mm以上とすることによって、釣り針として十分な強度を得ることでき、かつ、１．０mm以下とすることによって、スプリットリングへの装着を大変容易に行うことができる。
【００１２】
図２は他の実施の形態を示すもので、両端の固定部６、６同士をひっつけるようにして、軸部２の懐側（針先部３のある側）に沿わせて固定してもよく、図示は略するが、背（針先部３のない側）に沿わせて固定してもよい。固定に際しては、先の例と同様、溶接やロウ付けを用いることができるが、固定部６と軸部２を細い針金等で巻き付けて仮固定してから、溶接やロウ付けを行うようにしてもよい。
【００１３】
図３はさらに他の実施の形態を示すもので、（Ａ）のように係止部５は正面視略矩形のものとしてもよく、（Ｂ）のように長細い環状としてもよい。また、係止部５の細金属線を一周以上巻回して、その一端を固定部として軸部２に溶接するようにしてもよい。この細金属線の径は、全体を同じ径としてもよいが、固定部６を係止部５よりも太いものとしたり、係止部５であっても、その一部分をより細い径のものとして実施するようにしてもよい。このように、本願考案は、実用新案登録請求の範囲に記載した範囲内で種々変更して実施することができる。
【図面の簡単な説明】
【００１４】
【図１】本願考案の実施の形態に係る係る釣り針を示すもので、（Ａ）は正面図、（Ｂ）は側面図、（Ｃ）は挿通部の正面図である。
【図２】本願考案の他の実施の形態に係る係る釣り針を示すもので、（Ａ）は正面図、（Ｂ）は側面図である。
【図３】（Ａ）〜（Ｃ）は、それぞれさらに他の実施の形態を示すものである。
【図４】（Ａ）はルアーの側面図、（Ｂ）はスプリットリングの斜視図、（Ｃ）はスプリットリングを開いた状態の斜視図である。
【符号の説明】
【００１５】
１  釣り針
２  軸部
３  針先部
４  挿通部
５  係止部
６  固定部
７  合成樹脂
【図１】
0003142982.tif 000003
【図２】
0003142982.tif 000004
【図３】
0003142982.tif 000005
【図４】
0003142982.tif 000006